(57)【特許請求の範囲】
【請求項１】
画像データを追加入力する機能を有する入力手段と、前記入力手段から入力される画像データを蓄積する蓄積手段と、前記蓄積手段に蓄積された画像データに基づいて画像出力を行なう出力手段とを備えるとともに、前記出力手段により出力される画像の画像出力条件を設定する機能を有する機能設定手段と、前記蓄積手段に蓄積された画像データに基づいて表示画像を生成する表示画像生成手段と、前記表示画像生成手段により生成された表示画像を表示する表示画面を備えた表示手段と、前記入力手段から入力される画像データに基づく表示画像を前記表示手段にプレビュー表示する機能を備えた表示制御手段とを具備する画像表示操作装置を備える画像形成装置において、
前記機能設定手段は、複数回に分けて画像データを入力して複数の画像データを形成する機能を有する追加入力モードを備え、
さらに、追加入力モードの際に、追加入力される画像データと前に入力された画像データとを区別するセクションを作成するセクション区切りを設定する機能と、前記表示手段に前記複数の画像データのプレビュー表示と共に設定されたセクション区切りを表示する機能と、前記機能設定手段が用いられてセクション毎に設定された画像出力条件を保持する機能と、前記画像出力条件の設定に基づき前記セクション区切りで区別された各セクションの画像に画像出力を実行させる機能と、を備えることを特徴とする画像形成装置。
【請求項２】
前記機能設定手段は、画像データを追加入力する際に、任意のタイミングで実行可能に前記セクション区切りを設定する機能を備えることを特徴とする請求項１に記載の画像形成装置。
【請求項３】
前記機能設定手段は、入力された順に蓄積された画像データ配列における任意の位置で前記セクション区切りの設定する機能を備えることを特徴とする請求項１または２に記載の画像形成装置。
【請求項４】
前記機能設定手段は、前記セクション区切りで区切られたセクション内において、画像データ配列における任意の位置で設定された画像出力条件の設定変更を可能とする機能と、前記画像出力条件の設定変更を同一セクション内全体に反映する機能と、を備えることを特徴とする請求項１から３のうちの何れか一項に記載の画像形成装置。
【請求項５】
前記機能設定手段は、前記画像出力条件の設定を行なうときには、当該機能設定手段の有する全ての機能の設定を可能とすることを特徴とする請求項１から４のうちの何れか一項に記載の画像形成装置。
【請求項６】
前記機能設定手段は、設定されたセクション区切りを任意に取消すことができる機能を備えることを特徴とする請求項１から５のうちの何れか一項に記載の画像形成装置。
【請求項７】
前記機能設定手段は、仕上げ処理を設定する機能を備え、前記仕上げ処理の設定は、複数のセクションを同一の設定とすることを可能とすることを特徴とする請求項１から６のうちの何れか一項に記載の画像形成装置。
【発明の詳細な説明】
【技術分野】
【０００１】
本発明は、複写機やプリンタ、ファクシミリ等の画像形成装置に係り、特に、入力された画像データに基づいて出力される画像の画像出力条件を設定する機能を備える画像形成装置に関する。
【背景技術】
【０００２】
近年、画像データを追加入力する機能を有する入力手段と、前記入力手段により入力された画像データに基づいて画像出力を行なう出力手段とを備え、前記出力手段により出力される画像の画像出力条件を設定する機能を備える画像形成装置が知られている。このような画像形成装置によれば、ジョブの実行前に出力される画像の画像出力条件の設定や変更を簡単に行なうことができる。
【０００３】
従来技術として、例えば、原稿を複数回にわたって読込む機能（たとえば連続読込みコピー機能）を備えた画像形成装置において、前方ジャンプボタンもしくは後方ジャンプボタンを操作することで、現在表示中の原稿束のプレビューから、その前後に読込んだ原稿束のプレビューに、表示を切替えることを可能にするようにしたものが開示されている（特許文献１を参照）。
【０００４】
ここで、連続読込みコピー機能とは、自動原稿送り装置を使用して原稿を読込む際、複数回にわたって自動原稿送り装置にセットされて読込まれた原稿画像を、一括して出力する機能をいう。
【０００５】
通常、連続読込みコピー機能を利用する場合には、まず、動作モードを連続読込みモードに設定する。この後、原稿（１枚または複数枚の原稿）をセットしてスタートキーを押す。これにより、セットした原稿の読込みが行なわれる。そして、セットした原稿の読込みが終了すると、再び原稿をセットしてスタートキーを押すという手順を繰り返す。
【０００６】
このようにして、全ての原稿の読込みが終了した場合には、連続読込み終了キーを押す。連続読込み終了キーが押されると、読込んだ原稿画像の印刷が開始される。
【０００７】
上述した画像形成装置によれば、連続読込みコピー機能によって原稿画像が読込まれた場合に、前方ジャンプボタンもしくは後方ジャンプボタンを操作することによって、現在表示中の原稿束のプレビュー表示から、その前後に読込んだ原稿束のプレビュー表示に迅速に切替えることができる。
【先行技術文献】
【特許文献】
【０００８】
【特許文献１】特開２００８−３０６４６９号公報
【発明の概要】
【発明が解決しようとする課題】
【０００９】
しかしながら、特許文献１に記載の技術では、原稿を複数回にわたって連続読込する際の連続読込みコピー機能しか開示されておらず、２回目以降の読込時に画像出力を行なう際の片面印刷や両面印刷、２画面印刷、また、カラー印刷、モノクロ印刷などの画像出力条件の設定を変更することに関しては開示されていない。そのため、ユーザが、複数ページからなる原稿を分割し、分割した原稿毎に設定を異ならせた処理（例えば、複雑な組合せの原稿仕上げ）を望んでも対応できないという問題がある。
【００１０】
本発明は、上記従来の課題に鑑みてなされたものであり、画像形成装置において、原稿等の画像データを複数回にわたって連続読込みを行ない、ユーザが所望する複雑な組合せの原稿仕上げ処理に対応できる画像形成装置を提供することを目的とする。
【課題を解決するための手段】
【００１１】
本発明は、画像データを追加入力する機能を有する入力手段と、前記入力手段から入力される画像データを蓄積する蓄積手段と、前記蓄積手段に蓄積された画像データに基づいて画像出力を行なう出力手段とを備えるとともに、前記出力手段により出力される画像の画像出力条件を設定する機能を有する機能設定手段と、前記蓄積手段に蓄積された画像データに基づいて表示画像を生成する表示画像生成手段と、前記表示画像生成手段により生成された表示画像を表示する表示画面を備えた表示手段と、前記入力手段から入力される画像データに基づく表示画像を前記表示手段にプレビュー表示する機能を備えた表示制御手段とを具備する画像表示操作装置を備える画像形成装置において、
前記機能設定手段は、複数回に分けて画像データを入力して複数の画像データを形成する機能を有する追加入力モードを備え、
さらに、追加入力モードの際に、追加入力される画像データと前に入力された画像データとを区別するセクションを作成するセクション区切りを設定する機能と、前記表示手段に前記複数の画像データのプレビュー表示と共に設定されたセクション区切りを表示する機能と、前記機能設定手段が用いられてセクション毎に設定された画像出力条件を保持する機能と、前記画像出力条件の設定に基づき前記セクション区切りで区別された各セクションの画像に画像出力を実行させる機能と、を備えることを特徴とするものである。
【００１２】
また、本発明は、前記機能設定手段の構成として、画像データを追加入力する際に、任意のタイミングで実行可能に前記セクション区切りを設定する機能を備えることが好ましい。
【００１３】
また、本発明は、前記機能設定手段の構成として、入力された順に蓄積された画像データ配列における任意の位置で前記セクション区切りの設定する機能を備えることが好ましい。
【００１４】
また、本発明は、前記機能設定手段の構成として、前記セクション区切りで区切られたセクション内において、画像データ配列における任意の位置で設定された画像出力条件の設定変更を可能とする機能と、前記画像出力条件の設定変更を同一セクション内全体に反映する機能と、を備えることが好ましい。
【００１５】
また、本発明は、前記機能設定手段の構成として、前記画像出力条件の設定を行なうときには、当該機能設定手段の有する全ての機能の設定を可能とすることが好ましい。
【００１６】
また、本発明は、前記機能設定手段の構成として、設定されたセクション区切りを任意に取消すことができる機能を備えることが好ましい。
【００１７】
また、本発明は、前記機能設定手段の構成として、仕上げ処理、例えば、ステープル/パンチ、ページ振り等の処理を設定する機能を備え、前記仕上げ処理の設定は、複数のセクションを同一の設定とすることを可能とすることが好ましい。
【発明の効果】
【００１８】
本発明によれば、画像データを追加入力する機能を有する入力手段と、前記入力手段から入力される画像データを蓄積する蓄積手段と、前記蓄積手段に蓄積された画像データに基づいて画像出力を行なう出力手段とを備えるとともに、前記出力手段により出力される画像の画像出力条件を設定する機能を有する機能設定手段と、前記蓄積手段に蓄積された画像データに基づいて表示画像を生成する表示画像生成手段と、前記表示画像生成手段により生成された表示画像を表示する表示画面を備えた表示手段と、前記入力手段から入力される画像データに基づく表示画像を前記表示手段にプレビュー表示する機能を備えた表示制御手段とを具備する画像表示操作装置を備える画像形成装置において、前記機能設定手段は、複数回に分けて画像データを入力して複数の画像データを形成する機能を有する追加入力モードを備え、さらに、追加入力モードの際に、追加入力される画像データと前に入力された画像データとを区別するセクションを作成するセクション区切りを設定する機能と、前記表示手段に前記複数の画像データのプレビュー表示と共に設定されたセクション区切りを表示する機能と、前記機能設定手段が用いられてセクション毎に設定された画像出力条件を保持する機能と、前記画像出力条件の設定に基づき前記セクション区切りで区別された各セクションの画像に画像出力を実行させる機能と、を備えることで、原稿等の画像データを複数回にわたって連続読込みを行ない、ユーザが複雑な組合せの原稿仕上げを実現したいと望んだ場合でも、ユーザの意図に応じた処理を実行して、ユーザのニーズを満たすことができる画像形成装置を実現できる。
【００１９】
また、本発明によれば、前記機能設定手段の構成として、画像データを追加入力する際に、任意のタイミングで実行可能に前記セクション区切りを設定する機能を備えることで、例えば、１スキャン原稿をセクション分割することも、複数スキャン原稿を任意のスキャンのタイミングでセクション分割することも、さらに、これら両者を組合せたセクション分割も可能となる。
【００２０】
また、本発明によれば、前記機能設定手段の構成として、入力された順に蓄積された画像データ配列における任意の位置で前記セクション区切りの設定する機能を備えることで、入力された複数の画像データを任意の位置でセクション分割することが可能になる。
【００２１】
また、本発明によれば、前記機能設定手段の構成として、前記セクション区切りで区切られたセクション内において、画像データ配列における任意の位置で設定された画像出力条件の設定変更を可能とする機能と、前記画像出力条件の設定変更を同一セクション内全体に反映する機能と、を備えることで、どの時点で機能設定をしても、同一セクション内であれば、その設定を反映させることができる。
【００２２】
また、本発明によれば、前記機能設定手段の構成として、前記画像出力条件の設定を行なうときには、当該機能設定手段の有する全ての機能の設定を可能とすることで、セクション単位で設定を行なう場合であっても、全機能について、全く制限なしに設定を行なうことができる。
【００２３】
また、本発明によれば、前記機能設定手段の構成として、設定されたセクション区切りを任意に取消すことができる機能を備えることで、設定されたセクション区切りの位置を任意に編集することができる。
【００２４】
また、本発明によれば、前記機能設定手段の構成として、仕上げ処理、例えば、ステープル/パンチ、ページ振り等を設定する機能を備え、前記仕上げ処理の設定は、複数のセクションを同一の設定とすることを可能とすることで、複数のセクションに及ぶような設定を複数のセクションに対して一括で設定し、１つの記録物として仕上げることができるため、ユーザの意図した複雑な組合せの原稿仕上げを実現できる。
【図面の簡単な説明】
【００２５】
【図１】本発明の実施形態に係る画像形成装置の全体の構成を示す説明図である。
【図２】前記画像形成装置の内部構成を簡略化して示す説明図である。
【図３】前記画像形成装置のハードウェア構成を示す機能ブロック図である。
【図４】前記画像形成装置のタッチパネルディスプレイの表示領域を示す説明図である。
【図５】前記タッチパネルディスプレイに表示される画面例を示す説明図である。
【図６】前記タッチパネルディスプレイを構成する表示パネルの表示態様の一例を示す説明図である。
【図７】前記画像形成装置における操作ユニットの電気的構成を示すブロック図である。
【図８】前記操作ユニットを構成するタッチパネルディスプレイの構成を示すブロック図である。
【図９】（ａ）は前記画像形成装置において大量原稿モードにおける追加読込時にセクション区切りを設定して作成したセクションに対応して画像出力条件の設定を変更する状態を示す説明図、（ｂ）は前記画像形成装置の大量原稿モードにおける追加読込時に作成したセクションに対応した画像出力状態を示す説明図である。
【図１０】（ａ）は前記画像形成装置において通常モードにおける追加読込時に画像出力条件の設定が変更された状態を示す説明図、（ｂ）は通常モードにおける画像出力状態を示す説明図である。
【図１１】実施例１の画像形成装置におけるコピーモード初期画面を示す説明図である。
【図１２】前記画像形成装置において原稿読取りが終了した後にセクション区切りを挿入して追加読込みを行なうときの表示画面を示す説明図である。
【図１３】前記画像形成装置において原稿読取り後に追加読取りを行なった場合の追加原稿束を含む複数の原稿束のプレビュー表示された表示画面を示す説明図である。
【図１４】読込まれた原稿束を表すその他のプレビュー表示の例を示す説明図である。
【図１５】その他のプレビュー表示の例を示す説明図である。
【図１６】その他のプレビュー表示の他の例を示す説明図である。
【図１７】実施例２の画像形成装置における編集画面を示す説明図である。
【図１８】前記編集画面においてセクション区切りの設定を開始するときの操作状態を示す説明図である。
【図１９】前記編集画面においてセクション区切りを設置する操作の一例を示す説明図である。
【図２０】前記編集画面においてセクション区切りを設置する操作のその他の例を示す説明図である。
【発明を実施するための形態】
【００２６】
以下、本発明の実施形態について図面を参照して説明する。
図１は発明を実施する形態の一例であって、本発明の実施形態に係る画像形成装置の全体の構成を示す説明図、図２は前記画像形成装置の内部構成を簡略化して示す説明図、図３は前記画像形成装置のハードウェア構成を示す機能ブロック図、図４は前記画像形成装置のタッチパネルディスプレイのプレビュー表示領域を示す説明図、図５は前記タッチパネルディスプレイに表示される画面例を示す説明図である。
【００２７】
本発明の実施形態は、図１に示すように、画像データを追加入力する機能を有する原稿読取部（入力手段）１０２と、原稿読取部１０２により入力された画像データに基づいて記録媒体上に画像を形成する画像形成部（出力手段）１０４と、画像データに基づいてプレビュー画像を表示する表示パネル（表示手段）１３２と原稿読取部１０２から入力される画像データに基づく表示画像を表示パネル１３２上にプレビュー表示する機能を有するとともに画像形成部１０４により記録媒体上に出力される画像の画像出力条件を設定する機能を有する操作ユニット（画像表示操作装置）１２０とを備える画像形成装置１００において、操作ユニット側制御部１３１の構成として、本発明に係る表示制御手段の構成を採用したものである。
【００２８】
前記表示制御手段として機能する操作ユニット１２０は、画像形成部１０４により出力される画像の画像出力条件を設定する機能を備えて、出力される画像の画像出力条件を表示パネル１３２上で設定するように構成されている。
【００２９】
表示パネル１３２に表示される複数原稿画像は、画像形成装置１００の原稿読取部などから取り込まれた原稿画像の形態をプレビュー表示するものであり、且つ、画像形成部から記録用紙上に形成される画像の出力形態を仕上がりプレビュー画像として表示するものである。
【００３０】
本実施形態に係る画像形成装置１００は、画像処理装置の１種である画像形成装置である。本発明に係る画像表示操作装置の適用は、このような画像形成装置以外の画像処理装置または電子機器であっても構わない。
【００３１】
また、本実施形態に係る画像形成装置１００は、複数の動作モードを備え、その動作モードが切り換えられて表示機器の画面が切り換えられた場合において、ユーザが画面構成を覚えていなくても、ユーザが求める情報をユーザが容易に取得することができるように、情報を表示する表示機器を備えた装置であればよい。
【００３２】
なお、本実施形態に係る画像形成装置１００は、ジェスチャー操作方法とジェスチャー操作によらないタッチ操作方法とにより操作が可能なタッチパネルディスプレイ（操作画面）を備えるとするが、タッチ操作のみが可能なタッチパネルディスプレイを備える装置であってもよく、さらには、操作が不可能な表示のみ可能な表示パネルおよび操作用のボタンを備える装置であってもよい。
【００３３】
この画像形成装置１００は、電子写真方式により記録用紙に画像を形成する。
また、画像形成装置１００は、動作モードとして、コピーモード、ファクシミリモード（ＦＡＸモード）、ドキュメントファイリングモード（スキャンした画像を画像形成装置内部の記憶装置に記憶するモード）およびメールモード（スキャンした画像を電子メールに添付する形式で送信するモード）を備える。なお、この画像形成装置１００は、さらにネットワークプリンタモードを備えていても構わない。
【００３４】
また、本発明はこれに限定されず、動作モード毎に画面が切り換わる画像形成装置であれば構わない。また、印刷方式は電子写真方式に限定されない。
【００３５】
まず、本発明の実施形態に係る画像形成装置１００について説明する。
本実施形態に係る画像形成装置１００は、図１に示すように、原稿読取部１０２、画像形成部１０４、給紙部１０６、排紙処理装置１０８、および、操作ユニット１２０を備える。
操作ユニット１２０は、タッチパネルディスプレイ１３０と表示操作部１４０とで構成される。タッチパネルディスプレイ１３０は、液晶パネル等で構成された表示パネル１３２と、表示パネル１３２に重ねて配置されたユーザの指で押圧された位置を検出するタッチパネル（タッチ操作認識手段）１３４とで構成される。表示操作部１４０は、表示灯１４２と、電源キー１４４と、省エネルギーキー（以下「省エネキー」と記載）１４６と、動作モードを選択するホーム画面ヘタッチパネルディスプレイ１３０の表示画面を戻すためのホームキー１４８とで構成される。
【００３６】
このように画像形成装置１００は、主たる操作デバイスとしてタッチパネルディスプレイ１３０を備えるとともに、ハードウェアキーおよび表示灯により構成される表示操作部１４０を備える。表示操作部１４０のキー（電源キー１４４、省エネキー１４６、ホームキー１４８）は、タッチパネルディスプレイ１３０により構成されるソフトウェアボタンと対比して、ハードウェアボタンとして構成される点が特徴である。
【００３７】
なお、画像形成装置１００は、このような構成の表示操作部１４０を備えるものに限定されず、タッチパネルディスプレイ１３０のみを備えるものであってもよい。タッチパネルディスプレイ１３０に表示されたホーム画面においてユーザが動作モードを選択すると、選択された動作モードにおける初期画面に切り換わるものであれば構わない。このような画像形成装置１００の動作モードについて説明する。
【００３８】
（コピーモード）
以下において、画像形成装置１００のコピーモードでの動作について説明する。
このコピーモードにおいては、主として、原稿読取部（以下、「スキャナ部」と称する。）１０２および画像形成部１０４が動作する。
【００３９】
画像形成装置１００においては、原稿載置台に置かれた原稿が原稿読取部１０２により画像データとして読取られ、読取られた画像データが図３に示すマイクロコンピュータ等から構成されるＣＰＵ３００に入力され、ここで画像データに各種の画像処理が施され、この画像データが画像形成部１０４へと出力される。
【００４０】
画像形成部１０４は、図２に示すように、画像データによって示される原稿の画像を記録媒体（多くの場合、記録用紙）に印刷するものであって、感光体ドラム２２２、帯電装置２２４、レーザスキャンユニット（以下、「ＬＳＵ」と称する。）２２６、現像装置２２８、転写装置２３０、クリーニング装置２３２、定着装置２３４、および図示しない除電装置等を備えている。
【００４１】
画像形成部１０４には、主搬送路２３６および反転搬送路２３８が設けられており、給紙部１０６から給紙されてきた記録用紙が主搬送路２３６に沿って搬送される。給紙部１０６は、用紙カセット２４０に収納された記録用紙、または手差トレイ２４２に載置された記録用紙を１枚ずつ引出して記録用紙を画像形成部１０４の主搬送路２３６へと送り出す。
【００４２】
画像形成部１０４の主搬送路２３６に沿って記録用紙が搬送されている途中で、記録用紙が感光体ドラム２２２と転写装置２３０との間を通過し、さらに定着装置２３４を通過して、記録用紙に対する印刷が行なわれる。
【００４３】
感光体ドラム２２２は、一方向に回転し、その表面は、クリーニング装置２３２と除電装置によりクリーニングされた後、帯電装置２２４により均一に帯電される。
【００４４】
ＬＳＵ２２６は、印刷対象の画像データに基づいてレーザ光を変調し、このレーザ光によって感光体ドラム２２２の表面を主走査方向に繰返し走査して、静電潜像を感光体ドラム２２２の表面に形成する。
【００４５】
現像装置２２８は、トナーを感光体ドラム２２２の表面に供給して静電潜像を現像し、トナー像を感光体ドラム２２２の表面に形成する。
【００４６】
転写装置２３０は、当該転写装置２３０と感光体ドラム２２２との間を通過していく記録用紙に感光体ドラム２２２の表面のトナー像を転写する。
【００４７】
定着装置２３４は、記録用紙を加熱するための加熱ローラ２４８と、記録用紙を加圧するための加圧ローラ２５０とを含む。記録用紙は、加熱ローラ２４８によって加熱され、かつ、加圧ローラ２５０によって加圧されることによって、記録用紙上に転写されたトナー像が記録用紙に定着される。この定着装置２３４へ供給される電力によりヒータを温めて加熱ローラ２４８の温度が定着に適した温度になるように制御されている。なお、省エネモードに移行すると、例えば、このヒータへ供給される電力が停止されたり削減されたりする。
【００４８】
主搬送路２３６と反転搬送路２３８との接続位置には、分岐爪２４４が配設されている。記録用紙の片面のみに印刷が行なわれる場合は、分岐爪２４４が位置決めされ、この分岐爪２４４により定着装置２３４からの記録用紙が排紙トレイ２４６または排紙処理装置１０８の方へと導かれる。
【００４９】
記録用紙の両面に印刷が行なわれる場合は、分岐爪２４４が所定方向に回動されて記録用紙が一旦排紙トレイ２４６側へ導かれた後、スイッチバック搬送されて反転搬送路２３８の方へと導かれる。記録用紙は、反転搬送路２３８を通過して、その表裏を反転されて主搬送路２３６へと再び搬送され、主搬送路２３６の再度の搬送途中で、その裏面への印刷が行なわれて排紙トレイ２４６または排紙処理装置１０８の方へと導かれる。
【００５０】
上述のようにして印刷された記録用紙は、排紙トレイ２４６または排紙処理装置１０８の方へと導かれて排紙トレイ２４６に排出され、または排紙処理装置１０８の各排紙トレイ１１０のいずれかに排出される。
【００５１】
排紙処理装置１０８では、複数の記録用紙を各排紙トレイ１１０に仕分けして排出する処理、各記録用紙にパンチングする処理、および各記録用紙にステープルする処理を施す。例えば、複数部の印刷物を作成する場合は、各排紙トレイ１１０に印刷物の一部ずつが割り当てられるように、各記録用紙を各排紙トレイ１１０に仕分けして排出し、排紙トレイ１１０毎に、排紙トレイ１１０上の各記録用紙に対しパンチングユニット１１１によるパンチング処理またはステープルユニット１１２によるステープル処理を施して印刷物を作成する。
【００５２】
（ファクシミリモード）
以下において、ファクシミリモードでの動作について説明する。
このファクシミリモードにおいては、図３に示すように、主として、送信動作は原稿読取部（スキャナ部）１０２およびＦＡＸ通信部１６０が動作することにより、受信動作はＦＡＸ通信部１６０および画像形成部１０４が動作する。
【００５３】
（送信動作）
画像形成装置１００においては、ファクシミリモードを指定して、原稿載置台に置かれた原稿が原稿読取部１０２により画像データとして読取られ、読取られた画像データが図３に示すマイクロコンピュータ等から構成されるＣＰＵ３００に入力され、ここで画像データに各種の画像処理が施され、この画像データがＦＡＸ通信部（図３のＦＡＸ通信部１６０）へと出力される。
【００５４】
図３に示すように、送信側の画像形成装置１００のＦＡＸ通信部１６０は、指定された送信側の回線を指定された送信先に接続して、画像データをファクシミリ通信規格に合致した通信データへ変換して、受信側のファクシミリ装置（例えばファクシミリ機能を備えた画像形成装置１００）へ送信する。
【００５５】
（通信動作）
回線が接続されると、受信側の画像形成装置１００のＦＡＸ通信部１６０は、送信側の画像形成装置１００のＦＡＸ通信部１６０からの通信要求信号を検出して、応答信号を送信する。その後、例えば、ＦＡＸ通信部１６０は、送信側および受信側で互いに実装されている能力情報の受渡しを行ない、利用可能な最大能力での通信速度および画像データの符号化・符号訂正方式などを決定してモデムの通信方式を設定する。この通信方式にあわせた画像信号静式を用いて、送信側の画像形成装置１００のＦＡＸ通信部１６０から受信側の画像形成装置１００のＦＡＸ通信部１６０ヘデータを送信する。送信が終了すると回線が切断される。
【００５６】
（受信動作）
受信側の画像形成装置１００のＦＡＸ通信部１６０は、受信したデータを画像データに変換して、画像形成部１０４へ送る。なお、受信したデータを画像データへ変換するのは画像形成部１０４であっても構わない。画像形成部１０４は、上述したコピーモードにおける動作と同じように、受信したデータから変換された画像データによって示される原稿の画像を記録用紙に印刷する。
【００５７】
次に、画像形成装置１００の制御ブロック構成について図面を参照して説明する。
図３に示すように、画像形成装置１００は、さらに、コピーモード、ファクシミリモードとして装置が搭載する機能の設定が可能な操作ユニット１２０と、プログラム等を記憶するためのＲＯＭ３０６と、通電が遮断された場合であってもプログラムおよびデータ等を記憶可能な不揮発性記憶領域であるハードディスク３０２と、プログラムを実行する際の記憶領域を提供するためのＲＡＭ（Ｒａｎｄｏｍ  Ａｃｃｅｓｓ  Ｍｅｍｏｒｙ）３０８とを含む。
【００５８】
画像形成装置１００は、さらに、原稿読取部１０２、画像形成部１０４、ＦＡＸ通信部１６０、操作ユニット１２０、ＲＯＭ３０６、ハードディスク３０２、およびＲＡＭ３０８に接続されるパス３１０と、パス３１０に接続された、画像形成装置としての一般的機能を実現するためのＣＰＵ３００とを含む。
【００５９】
ハードディスク３０２には、この画像形成装置１００でスキャンした原稿の画像データのファイルが記憶される。また、ハードディスク３０２には、各動作モードの初期画面データが記憶されている。（ハードディスク３０２でなくてもＲＯＭ３０６に記憶させておくことも可能）
【００６０】
ＲＯＭ３０６には、画像形成装置１００の動作を制御するのに必要なプログラムおよびデータ等が記憶されている。このＲＯＭ３０６にプログラムとともに記憶するデータとして、各動作モードの初期画面データを記憶するようにしても構わない。ＣＰＵ３００は、ＲＯＭ３０６に格納されているプログラムおよびデータに従って画像形成装置１００の制御を行なうとともに画像形成装置１００の各機能に関する制御を実行する。
【００６１】
図３に示すように、この画像形成装置１００のＦＡＸ通信部１６０には、画像データの送受信用に公衆回線が接続され、ネットワークインターフェイス３０４には、ネットワーク回線が接続されている。このネットワーク回線には、この画像形成装置１００をネットワーク対応のプリンタとして使用するコンピュータ等が接続されたり、インターネットを介して指定されたＵＲＬ（Ｕｎｉｆｏｒｍ  Ｒｅｓｏｕｒｃｅ  Ｌｏｃａｔｏｒ）により特定されるコンピュータ等が接続されたりする。このようにインターネットに接続されると、画像形成装置１００は、インターネットを介して、必要な情報を取得することができる。
【００６２】
ＲＡＭ３０８は、ＣＰＵ３００による演算および処理の結果を一時的に記憶するワーキングメモリとしての機能と、画像データを記憶するフレームメモリとしての機能とを提供する。
【００６３】
原稿読取部１０２、画像形成部１０４、操作ユニット１２０を構成するタッチパネルディスプレイ１３０および表示操作部１４０、ならびにＲＯＭ３０６、ハードディスク３０２、およびＲＡＭ３０８に対する制御は、ＣＰＵ３００が所定のプログラムを実行することにより行なわれる。なお、操作ユニット１２０は、入出力インターフェイスを介してＣＰＵ３００と通信する。
【００６４】
操作ユニット１２０は、ユーザが目視しやすいように傾斜して設けられた板状のパネルで構成される。操作ユニット１２０の表面には、その左側の領域にタッチパネルディスプレイ１３０が、右側の領域に表示操作部１４０（表示灯１４２ならびにハードウェアボタンである電源キー１４４、省エネキー１４６およびホームキー１４８）が、備えられている。タッチパネルディスプレイ１３０および表示操作部１４０は、操作ユニット１２０が全体として一体となるように構成されている。
【００６５】
上述したように、このタッチパネルディスプレイ１３０は、表示パネル１３２と、表示パネル１３２に重ねて配置されたタッチパネル１３４とで構成される。
【００６６】
このタッチパネルディスプレイ１３０においては、表示パネル１３２に、この画像形成装置１００における動作モードを選択するホーム画面、この画像形成装置１００の現在の状態、宛先指定状況、ジョブの処理状況等が表示される。表示パネル１３２のプレビュー表示領域上にはソフトウェアボタンである選択ボタンが表示され、この選択ボタンの表示されている領域を指で押すと、タッチパネル１３４がその押された位置を検出する。プログラム上で、選択ボタンの表示位置とタッチパネル１３４が押された位置とを照合することにより、画像形成装置１００の動作モード選択、機能設定および動作指示等が行なわれる。この画像形成装置１００はこのようなタッチ操作（ユーザによる押圧位置に基づくコマンド入力操作）に加えて、上述したジェスチャー操作（ユーザによる操作軌跡に基づくコマンド入力操作）にも対応している。
【００６７】
また、表示操作部１４０の表示灯１４２は、例えばＬＥＤ（Ｌｉｇｈｔ  Ｅｍｉｔｔｉｎｇ  Ｄｉｏｄｅ）で構成され、ＣＰＵ３００により点灯／消灯（／点滅）が制御される。主電源スイッチとは別に設けられた電源キー１４４をユーザが押下すると、この画像形成装置１００が待機モード（例えば主電源がオンの状態でＦＡＸ受信動作のみ可能）から通常モードへ移行して、この画像形成装置１００の全ての動作モードが使用できるようになる。この状態に連動して表示灯１４２が点灯する。さらに、ユーザが操作しない時間が予め定められた時間を経過したり、省エネキー１４６をユーザが押下したりすると、この画像形成装置１００が通常モードから省エネモードへ移行して、この画像形成装置１００の一部の動作モードしか使用できないようになる。この状態に連動して表示灯１４２が点滅する。さらに、この省エネモードのときに、省エネキー１４６をユーザが押下すると、この画像形成装置１００が省エネモードから通常モードへ移行する。ホームキー１４８は、タッチパネルディスプレイ１３０の表示を初期状態（ホーム画面）へ戻すためのハードウェアキーである。なお、電源キー１４４、省エネキー１４６およびホームキー１４８を押下したときの処理はこれらに限定されるものではない。
【００６８】
なお、表示操作部１４０のハードウェアボタン（電源キー１４４、省エネキー１４６およびホームキー１４８）には、ＣＰＵ３００により点灯／消灯（／点滅）が制御されるキーランプを埋め込むようにしても構わない。例えば、このキーランプは、円型のキーの５周囲をリング状に光らせたり、キーの中央部を光らせたりする。操作デバイスとしてハードウェアボタンを使用することが許可されているタイミングで（ハードウェアボタンを使用すると処理が実行されるタイミングで）、このキーランプが点灯する。
【００６９】
本実施形態に係る画像形成装置１００においては、上述した２つの動作モード（コピーモード、ファクスモード）を備える。タッチパネルディスプレイ１３０には、それぞれの動作モードにおける機能設定用のソフトウェアボタンと、必要に応じて、画像形成イメージであるプレビューまたは宛先設定用のボタン等が表示される。
【００７０】
動作モードが違う場合には、タッチパネルディスプレイ１３０は、異なる画面が表示される。このような場合であっても、ユーザが要求する情報を容易に見つけることのできるように、タッチパネルディスプレイ１３０は複数の領域に分割されて（かつその領域の大きさを可変として）、各領域に情報を表示するという本発明の本質的部分を備える。特にこの画像形成装置１００においては、主たる表示操作デバイスとして設けられたタッチパネルディスプレイ１３０のホーム画面において動作モードを選択すると、各動作モードの初期画面が表示される。
【００７１】
この初期画面において、（１）基本レイアウトが５つの領域（「システム領域」、「機能選択領域」、「プレビュー領域」、「アクションパネル領域」、「タスクトリガー領域」）に分割されて適切に配置されているので、左上から右下へユーザが操作することにより（このような大型のタッチパネルディスプレイ１３０を備えない従来機と同じようなユーザの視点の動線および指先の動線が実現されるために）容易に設定が可能で、（２）異なる動作モードであっても５つの領域のそれぞれに表示される概念は同じものであって、動作モードが異なってもユーザが混乱することなく操作が可能である。
以下に、このような基本レイアウトの構成について説明する。
【００７２】
まず、画像形成装置１００のタッチパネルディスプレイ１３０における基本レイアウトについて図面を参照して説明する。
タッチパネルディスプレイ１３０の基本レイアウトは、図４に示すように、横長のタッチパネルディスプレイ１３０において（例えば、横１０２４ピクセル×縦６００ピクセル）、最上部に配置されたシステム領域１０００、画面中央部に配置されたプレビュー領域（プレビュー表示領域）３０００、プレビュー領域３０００の左側に配置された機能設定／確認領域２０００（以下、機能選択領域２０００と記載する）、プレビュー領域３０００の右上部に配置されたアクションパネル領域（情報表示領域）４０００、および、プレビュー領域３０００の右下部に配置されたタスクトリガー領域（操作キー表示領域）５０００で構成される。
【００７３】
なお、タッチパネルディスプレイ１３０における領域の数は５つに限定されるものではなく、左右の並びもこれに限定されず、例えば、ユーザの利き手に応じて領域の左右の配置を逆にしても構わない。また、システム領域１０００の位置は最下部であっても構わない。また、状態もしくは設定によっては表示されなくても構わない。
【００７４】
システム領域１０００には、この画像形成装置１００の現時点での状態が表示され、操作中の動作モードのタイトル、画像形成装置１００の状況・状態が表示される。例えば、システム領域１０００には、動作モード名、割り込みキー、ログインユーザ名、処理中のジョブ状況、内蔵メモリ使用状態、時刻等が表示される。
【００７５】
機能選択領域２０００には、各機能の設定、表示の切り換え、設定の確認のためにユーザにより操作される機能選択メニュー（アイコン、ボタン等）が、アイコンモード、レギュラーモードおよびエキスプレスモードで表示態様を変更して、表示される。アイコンモードにおいては、プレビュー領域３０００が最も広くなるように機能選択領域２０００には機能設定用のアイコンのみが表示される。エキスプレスモードにおいては、プレビュー領域３０００が最も狭くなっても機能選択領域２０００には機能を一度に設定できる画面が大きく表示される。レギュラーモードにおいては、プレビュー領域３０００の大きさはアイコンモードとエキスプレスモードとの中間の大きさであって、機能選択領域２０００には機能設定のアイコンとともに機能名称がテキスト表示される。
【００７６】
これらのアイコンモード、レギュラーモードおよびエキスプレスモードの切り換えはユーザの操作に基づく。すなわち、プレビュー領域３０００の大きさが、ユーザの操作に応じて変更して表示される。このように、アイコンは、小さい領域でユーザへの情報を伝達することができるので、全ての機能に対して準備しておいて、プレビュー領域３０００が大きく表示できることが好ましい。
【００７７】
この機能選択領域２０００には、その下部に機能選択領域２０００の表示スタイルを変更する変更ボタン群２０１０を備える。変更ボタン群２０１０には、アイコンモードで機能選択領域２０００を表示するアイコンモード移行ボタン２０１２、「お気に入り」登録した機能を表示させるお気に入りボタン２０１４、設定が変更された機能を表示させるチェックボタン２０１６、選択されている動作モードにおいて設定可能な全ての機能の一覧を表示するリストボタン２０１８、レギュラーモードで機能選択領域２０００を表示するレギュラーモード移行ボタン２０２０、および、エキスプレスモードで機能選択領域２０００を表示するエキスプレスモード移行ボタン２０２２が配置されている。
【００７８】
なお、機能選択領域２０００に表示される情報が多い場合には、この機能選択領域２０００において上下方向に移動可能に情報が表示される。この場合において、この変更ボタン群２０１０は移動されないで、機能選択領域２０００の最下部に常に表示される。
【００７９】
プレビュー領域３０００には、原稿の出力（仕上がり）イメージが表示される。ダミーデータまたはスキャンデータを用いてイメージ表示し、ユーザが仕上がりを変更する毎にプレビュー領域３０００に表示されているイメージが変更される。このプレビュー領域３０００においては、スキャン前のバーチヤルモードでのダミーイメージでの仕上がり表示、スキャン後のスキャンインモードでの実イメージでの仕上がり表示の２つのモードを有し、さらにバーチヤルモードには、原稿セット前および原稿セット後の２種類がある。
【００８０】
このプレビュー領域３０００には、その下部にプレビュー領域３０００の表示スタイルを変更するプレビュー変更ボタン群３０１０を備える。プレビュー変更ボタン群３０１０には、プレビューを左に９０度回転させる左回転ボタン３０１６、プレビューを右に９０度回転させる右回転ボタン３０１８、ズームバー３０２０が配置されている。これら以外にも、例えばカラー変更ボタン３０１２およびプレビュー操作ボタン３０１４が配置されている。
【００８１】
ここで、左回転ボタン３０１６を１回タッチ操作するとプレビューが左に９０度回転されて、２回タッチ操作するとプレビューが左に１８０度回転される（上下反転）。また、プレビュー領域に表示された仕上がり原稿イメージをジェスチャー操作しても（指先で原稿イメージを反時計回転方向に１８０度回転させても）、プレビューが左に１８０度回転されて上下反転される。
【００８２】
右回転ボタン３０１８を１回タッチ操作するとプレビューが右に９０度回転されて、２回タッチ操作するとプレビューが右に１８０度回転される（上下反転）。また、プレビュー領域に表示された仕上がり原稿イメージをジェスチャー操作しても（指先で原稿イメージを時計回転方向に１８０度回転させても）、プレビューが右に１８０度回転されて上下反転される。
【００８３】
ズームバー３０２０のプラスボタン３０２０Ａをタッチ操作したり、バー３０２０Ｃをプラスボタン３０２０Ａ側へジェスチャー操作（ドラッグまたはスライド）したりすると、プレビューが拡大して表示される。また、プレビュー領域に表示された仕上がり原稿イメージをジェスチャー操作しても（指先で原稿イメージをピンチアウト／ピンチオープンさせても）、プレビューが拡大して表示される。
【００８４】
ズームバー３０２０のマイナスボタン３０２０Ｂをタッチ操作したり、バー３０２０Ｃをマイナスボタン３０２０Ｂ側ヘジェスチャー操作（ドラッグまたはスライド）したりすると、プレビューが縮小して表示される。また、プレビュー領域に表示された仕上がり原稿イメージをジェスチャー操作しても（指先で原稿イメージをピンチイン／ピンチクローズさせても）、プレビューが縮小して表示される。
【００８５】
なお、プレビュー領域３０００に表示される原稿イメージのページ数が多い場合には、タッチ操作可能な表示ページ選択ボタン（ページ番号入力ボタン、ページ送りボタン、ページ戻しボタン、単ページ表示ボタン、複数ページ表示ボタン等）を表示するようにしても構わない。なお、原稿イメージをスライドタッチ（フリック操作）してもプレビューされる原稿のページ送り、ページ戻しを行なうことができる。また、プレビュー領域３０００に表示される原稿イメージが大きい場合には、タッチ操作またはジェスチャー操作可能なスクロールバーを表示するようにしても構わない。
【００８６】
アクションパネル領域４０００には、操作についての補助・助言・提案についての情報が表示される。このアクションパネル領域４０００には、例えば、あるユーザが特定の機能を選択すると、その機能に関連する機能を表示したり、目的指向でその機能についての他の機能を表示したり、このユーザまたはこのユーザが所属するグループのユーザが過去に組み合わせて選択した機能を「おすすめ機能」として表示したりする。
【００８７】
タスクトリガー領域５０００には、その動作モードにおける全ての設定が完了して、この画像形成装置１００を実際に動作させるためにユーザにより操作されるトリガー一項目が表示される。例えば、処理を開始させるためのスタートボタン（ソフトウェアボタン）である。なお、印字を伴う動作モード（ファクス送信以外）において、消耗品切れについての情報も、タスクの実行不可に関連するので、この「タスクトリガー領域」に表示される。
【００８８】
この場合において、スタートボタンが押下できる状態の場合にのみ、スタートボタンを表示することも好ましい。スタートボタンが押下できる状態とは、印字を伴う動作モードの場合には、全ての設定が終了してかつ消耗品（記録用紙およびトナー）切れでない状態であって、印字を伴わない動作モードであるファクスモード（送信）の場合には、宛先を含む全ての送信パラメータの設定が終了した状態である。
【００８９】
これらの５領域は、動作モードが変更されても（どの動作モードの初期画面においても）、その配置された位置は変更されない。また、機能選択領域２０００（およびプレビュー領域３０００）におけるアイコンモード／レギュラーモード／エキスプレスモードの切り換え表示のように、領域はタッチパネルディスプレイ１３０の画面横方向（長手方向）に伸縮してサイズが変化する。
【００９０】
このような５領域の配置は、従来機におけるユーザインターフェイスをも考慮しつつ、ユーザの視点の動線および操作の動線に着目して配置されている。このような配置により、タッチパネルディスプレイ１３０において、左上から右下へユーザの視線が動いて、左上から右下へユーザの操作（利き手の指先）が動く。
【００９１】
なお、ある動作モードから他の動作モードへ遷移するためには、ホームキー１４８を押下して、ホーム画面において他の動作モードを選択する。このように、ホーム画面を経由して、動作モードが切り換えられる。
【００９２】
（コピーモードの初期画面表示動作）
コピーモードが選択されると、ハードディスク３０２等から読出したコピー初期画面データを用いてタッチパネルディスプレイ１３０にコピーモードの初期画面が表示される。
このとき、例えば、タッチパネルディスプレイ１３０には、図５に示すように、コピーモード初期画面７１００が表示される。コピーモード初期画面７１００は、上述したレイアウト構成の５領域に分割されて情報が表示される。
【００９３】
コピーモード初期画面７１００のシステム領域１０００には、図５に示すように、選択されている動作モード（ここではコピーモード）を示すエリア１１０２、選択された動作モードに付随するサブ情報を表示するエリア１１０４、ログインユーザ名を表示するエリア１１０６、ログアウトボタン（ソフトウェアボタン）が表示されるエリア１１０８、現在実行中のジョブ状況を表示するエリア１１１０、ジョブ状況に関係するボタン（ソフトウェアボタン）が表示されるエリア１１１２、通信状態が表示されるエリア１１１４、現在時刻が表示されるエリア１１１６が配置されている。
【００９４】
エリア１１０２には、動作モードを示す名称または／およびアイコンが表示される。
このエリア１１０２をタッチ操作、タップ操作またはダブルタップ操作すると、動作モードを示すメニューがプルダウン表示されて動作モードを切り換えることができるようにすることも好ましい（他の動作モードにおいても同じ）。
【００９５】
エリア１１０４には、サブ情報として、割り込みキー（ソフトウェアボタン）が表示される。この割り込みキーをタッチ操作、タップ操作またはダブルタップ操作すると、コピーモードにおいて割り込み処理を実行することができる。
【００９６】
エリア１１１２には、現在実行中のジョブ状況がアイコンで表示される。このジョブ状況をタッチ操作、タップ操作またはダブルタップ操作すると、詳細なジョブ状況情報が表示される。さらに、エリア１１１２には、選択されたジョブを停止させるボタン等を表示することも好ましい。
【００９７】
コピーモード初期画面７１００の機能選択領域２０００には、コピーモードにおいてユーザが選択できる機能選択メニュー２１００および上述した変更ボタン群２０１０が表示されている。図５に示す画面では、レギュラーモードで機能選択メニューが表示されている。
【００９８】
図５に示すように、レギュラーモードで表示される機能選択メニューは、アイコン群２１００とテキスト群２１２０とで構成される。この機能選択領域２０００に表示される機能選択メニューとして、コピー一部数を設定するアイコン２１０２および設定された内容を表示するテキス卜２１２２、カラーモードを設定するアイコン２１０４および設定された内容を表示するテキスト２１２４、コピー濃度を設定するアイコン２１０６および設定された内容を表示するテキスト２１２６、コピー倍率を設定するアイコン２１０８および設定された内容を表示するテキスト２１２８、原稿の種類を設定するアイコン２１１０および設定された内容を表示するテキスト２１３０、用紙の種類を設定するアイコン２１１２および設定された内容を表示するテキスト２１３２、画像を編集するアイコン２１１４および設定された内容を表示するテキスト２１３４、レイアウトを編集するアイコン２１１６および設定された内容を表示するテキスト２１３６が表示されている。
【００９９】
なお、上述したように、これらの機能設定メニューにおけるさらなる項目は、変更ボタン群２０１０の表示位置を固定した状態で、上下方向にスクロール可能に表示することができる。そして、上下方向に隠れて表示されていない項目を含めて機能設定メニューの表示項目を切り換えることは、タッチ操作（スクロール操作）でもジェスチャー操作（上下方向へフリック操作）のいずれの操作でも可能である。
【０１００】
ここで、画像編集とは、１ページの原稿に対する画像編集であって、さらに下位の階層メニューとして、枠消去、印字メニュー、ウォータマーク、ユーザスタンプ等があり、レイアウト編集とは、複数ページの原稿に対する画像編集であって、さらに下位の階層メニューとして、ページ集約、綴じしろ、ページ移動、センタリング等がある。これらのさらなる下位メニューは、アイコン２１０２〜アイコン２１１６またはテキスト２１２２〜テキス卜２１３６をタッチ操作、タップ操作またはダブルタップ操作すると、タッチパネルディスプレイ１３０に表示される。
【０１０１】
コピーモード初期画面７１００のプレビュー領域３０００には、原稿の出力（仕上がり）イメージ３１００および上述したプレビュー変更ボタン群３０１０が配置されている。このとき、ダミーデータまたはスキャンデータを用いてイメージ３１００が表示され、ユーザが機能選択領域２０００の機能設定メニューを変更する毎に、イメージ３１００が変更されてプレビュー領域３０００に表示される（プレビューの表示が変更）。
【０１０２】
コピーモード初期画面７１００のアクションパネル領域４０００には、コピー操作についての補助・助言・提案についての情報が表示されている。ここでは、図５に示すように、このユーザが選択したコピーモードにおけるおすすめ機能が表示される。このとき、アクションパネル領域４０００は、表示されている情報の内容を示すエリア４１００、それ自体がソフトウェアボタンとしておすすめ機能をテキスト表示するエリア４１０２〜エリア４１０６が配置されている。
【０１０３】
エリア４１０２をタッチ操作、タップ操作またはダブルタップ操作すると、省エネコピーについてのさらに詳細な情報がプルダウン表示される。例えば、このとき、「両面印刷すると用紙を節約できます」というテキストとともに両面コピーの機能設定画面へ遷移するソフトウェアボタンと、「複数の原稿を集約して印刷すると用紙を節約できます」というテキストとともにページ集約の機能設定画面へ遷移するソフトウェアボタンと、「本のように綴じられるように印刷することができます」というテキストとともに中綴じの機能設定画面へ遷移するソフトウェアボタンとが、表示される。
【０１０４】
コピーモード初期画面７１００のタスクトリガー領域５０００には、実行ボタン群５１００が表示される。この実行ボタン群５１００として、原稿をスキャンして画像データを取得するように画像形成装置１００を作動させるスキャンインキー（ソフトウェアボタン）５１０２、設定した機能をクリアするクリアオールキー（ソフトウェアボタン）５１０４、原稿をスキャンしてモノクロコピーを実行するように画像形成装置１００を作動させるモノクロスタートキー（ソフトウェアボタン）５１０６、原稿をスキャンしてカラーコピーを実行するように画像形成装置１００を作動させるカラースタートキー（ソフトウェアボタン）５１０８が配置されている。
【０１０５】
このように、５つの領域に分割して情報が表示されたコピーモード初期画面７１００において、ユーザが要求を入力すると、その要求に従ってコピー処理が実行される。
【０１０６】
次に、本実施形態の画像形成装置１００の特徴的な構成について図面を参照して説明する。
図６は本実施形態の画像形成装置のタッチパネルディスプレイを構成する表示パネルの表示態様の一例を示す説明図である。
【０１０７】
本実施形態の画像形成装置１００は、図６に示すように、タッチパネルディスプレイ１３０において、プレビュー領域３０００が画面中央部に配置され、そのプレビュー領域３０００の左側に機能選択領域２０００が配置される。また、プレビュー領域３０００の右上部にアクションパネル領域４０００が配置され、そのアクションパネル領域４０００の下部にタスクトリガー領域５０００が配置される。
【０１０８】
プレビュー領域３０００には、初期画面では仮想テンキー３００１と、装置全体をイメージするミミック表示３００２が表示されている。
【０１０９】
タスクトリガー領域５０００には、実行ボタン群５１００が表示される。
実行ボタン群５１００として、スキャンインキー５１０２、クリアオールキー５１０４、モノクロスタートキー５１０６、カラースタートキー５１０８が配置されている。
【０１１０】
次に、本実施形態の画像形成装置１００における操作ユニット１２０の特徴的な電気的構成について図面を参照して説明する。
図７は本実施形態の画像形成装置における操作ユニットの構成を示すブロック図、図８は前記操作ユニットを構成するタッチパネルディスプレイの構成を示すブロック図である。
【０１１１】
本実施形態に係る操作ユニット１２０は、図７に示すように、表示パネル１３２、タッチパネル１３４に加えて、操作位置検出手段１３５、画面表示手段１３６、表示画像生成手段１３７及び操作ユニット１２０における処理・動作を制御する操作ユニット側制御部（表示制御手段）１３１を備えている。
【０１１２】
画像形成装置１００は、画像データを入力する原稿読取部１０２、画像処理手段１０３、原稿読取部１０２から入力される画像データを蓄積する蓄積手段１０５、プリンタや送信部などの画像を出力する画像出力手段１０７を備えて、主制御部１０１により動作制御される。
【０１１３】
原稿読取部１０２は、所望の原稿（画像データ）の読取りを終了した後に、さらに新たな原稿の追加読取り（追加入力）を可能とする追加読取り機能を備えている。
【０１１４】
操作位置検出手段１３５は、タッチパネル１３４上で行なわれる操作位置を検出する。
画面表示手段１３６は、表示画像生成手段１３７により形成された画像を表示パネル１３２上に表示する。
【０１１５】
表示画像生成手段１３７は、画像形成装置１００本体に入力された画像データに基づき操作ユニット側制御部１３１からの指示により所定の画像を形成するとともに、原稿読取部１０２により読取られた一連の複数の原稿より構成される原稿束の表示画像を形成する機能（原稿束表示画像生成機能）を備えている。
【０１１６】
操作ユニット側制御部１３１は、画像形成装置１００本体の主制御部１０１に接続され、タッチパネルディスプレイ１３０における制御部として機能する。
【０１１７】
ここで、操作ユニット側制御部１３１について詳細に説明する。
操作ユニット側制御部１３１は、図８に示すように、原稿読取部１０２から読取られた原稿に基づく表示画像をタッチパネルディスプレイ１３０上にプレビュー表示するプレビュー表示機能と、プレビュー表示された複数ページの表示画像を移動表示するスクロール表示機能とを備えている。
【０１１８】
さらに、操作ユニット側制御部１３１は、原稿読取部１０２により読取られた一連の複数の原稿より構成される原稿束の表示画像を表示するとともに、原稿が追加読込みされる以前に読込まれた原稿に基づく原稿束の表示画像と、追加読込みされた原稿に基づく原稿束（以下、「追加原稿束」と称する。）の表示画像との複数の原稿束の表示画像をタッチパネルディスプレイ１３０上で識別可能にプレビュー表示する原稿束表示手段１３１１を備えている。
【０１１９】
また、操作ユニット側制御部１３１は、画像出力手段１０７により出力される画像の画像出力条件を設定する機能を有する機能設定手段１３１２を備えている。
【０１２０】
機能設定手段１３１２は、複数回に分けて複数原稿を読込んで複数の原稿束を形成する機能を有する大量原稿モード（追加入力モード）１３１３を備えている。大量原稿モード１３１３は、読込まれた複数の原稿束に対して、原稿束毎に画像出力条件を設定する機能と、読込まれた複数の原稿束に対して、一括して同一の画像出力条件を設定する機能とを備える。
【０１２１】
ここで、本実施形態において、大量原稿モードとは、例えば、読込み原稿の量がＡＤＦ（自動原稿送り装置）にセット可能な枚数を超える場合に、一旦読取りを中断して原稿の継ぎ足し（追加読込み）を可能とするものを含むものとする。そして、継ぎ足したい原稿をＡＤＦにセットした後、スタートキーを押下することにより、読取りは再開する。
【０１２２】
また、機能設定手段１３１２は、画像データを追加入力する際に、追加入力される画像データと前に入力された画像データを区別するセクションを作成するセクション区切りを設定するセクション区切り設定手段１３１４と、セクション毎に設定された画像出力条件を保持するセクション対応画像出力条件保持手段１３１５と、画像出力条件の設定に基づき各セクションに応じた画像出力を実行させるセクション対応画像出力手段１３１６と、設定されたセクション区切りを任意に取消すことができるセクション区切り取消し手段１３１７を備えている。
【０１２３】
セクション区切り設定手段１３１４は、画像データを追加入力する際に、任意のタイミングでセクション区切りの設定する機能と、入力された順に蓄積された画像データ配列における任意の位置でセクション区切りの設定する機能とを備えている。
【０１２４】
さらに、機能設定手段１３１２は、画像出力条件の設定を行なうときには、当該機能設定手段１３１２の有する全ての機能の設定を可能としている。
【０１２５】
また、機能設定手段１３１２は、大量原稿モードに設定されていないときには、追加読込みされる原稿束の画像出力条件が先に読込まれた原稿束の画像出力条件と異なる場合は、追加読込みされる以前の原稿束を含めて一括して追加読込みされる原稿束の画像出力条件を反映させるようにされている。
【０１２６】
さらに、機能設定手段１３１２は、画像出力後のステープル／パンチ、ページ振り等の仕上げ処理を設定する仕上げ処理設定手段１３１８を備え、仕上げ処理の設定は、複数のセクションを同一の設定とすることができる。
【０１２７】
次に、本実施形態において、大量原稿モードでセクション区切りを設定して、追加読込みされる原稿の画像出力条件が設定変更された場合の画像出力の一例について模式図を参照して説明する。
【０１２８】
図９（ａ）は本実施形態の画像形成装置において大量原稿モードにおける追加読込時にセクション区切りを設定して作成したセクションに対応して画像出力条件の設定を変更する状態を示す説明図、（ｂ）は前記画像形成装置の大量原稿モードにおける追加読込時に作成したセクションに対応した画像出力状態を示す説明図である。
【０１２９】
この例は、図９（ａ）に示すように、画像形成装置１００の大量原稿モードにおける追加読込みにおいて、読込まれた複数の画像データにより構成された画像データ配列の複数箇所に画像データを区切るセクション区切りを設定して、設定されたセクション区切りにより作成されたセクションに応じてセクション毎に画像出力条件を設定したものである。
【０１３０】
具体的に説明すると、例えば、画像形成装置１００の大量原稿モードにおける追加読込みにおいて、１回目の画像読込時の画像出力条件を「２ｉｎ１・カラー」に設定し、１回目の画像読込みが終了した時点でセクション区切りＳＳ１を設定して第１のセクションＳＴ１を作成する。そして、引き続き２回目の追加読込みを行なう。この時の画像出力条件の設定は、１回目の画像読込みの設定と同じ「２ｉｎ１・カラー」である。
【０１３１】
そして、２回目の追加読込みが終了した時点で、画像出力条件を「４ｉｎ１・カラー」に設定変更して３回目の追加読込みを行なう。そして、３回目の追加読込みが終了した時点でセクション区切りＳＳ２を設定して第２のセクションＳＴ２を作成する。
【０１３２】
そして、引き続き４回目の追加読込みを行なった後に画像読込みを終了する。
この時の画像出力条件の設定は、３回目の追加読込みの設定と同じ「４ｉｎ１・カラー」である。そして、４回目の追加読込みが終了した時点で、４回目の追加読込みされた画像データを一括りにする第３のセクションＳＴ３が作成される。
【０１３３】
次に、第３のセクションＳＴ３が作成された後に、第３のセクションＳＴ３を分割する場合は、第３のセクションＳＴ３内に第３のセクション区切りＳＳ３を設定して、第３のセクションＳＴ３をセクションＳＴ３ａ，ＳＴ３ｂにセクション分割する。
第３のセクション区切りＳＳ３を設定するときは、画像出力条件を「２ｉｎ１・白黒」で設定する。
【０１３４】
以上のように、セクション区切りが設定されて、セクション毎に画像出力条件が設定された原稿束（画像データ配列）の画像出力状態は、図９（ｂ）に示すように、１回目に読込まれた第１のセクションＳＴ１内の原稿束ＰＰ１１は「２ｉｎ１・カラー」の設定で出力され、２回目及び３回目に読込まれた第２のセクションＳＴ２内の原稿束ＰＰ１２，ＰＰ１３は「４ｉｎ１・カラー」の設定で出力される。符号ＰＰ１１ａは原稿束ＰＰ１１の出力画像、ＰＰ１２ａは原稿束ＰＰ１２，ＰＰ１３の出力画像を示す。
【０１３５】
そして、４回目に読込まれた第３のセクションＳＴ３内の原稿束ＰＰ１４の画像出力状態は、セクション区切りＳＳ３によりセクションＳＴ３ａ，ＳＴ３ｂにセクション分割されて、セクションＳＴ３ａ内の原稿束ＰＰ１４ａの出力画像ＰＰ１４ａａは「４ｉｎ１・カラー」の設定で出力され、セクションＳＴ３ｂ内の原稿束ＰＰ１４ｂの出力画像ＰＰ１４ｂａは「２ｉｎ１・白黒」の設定で出力される。
【０１３６】
以上のように、本実施形態によれば、追加読込みされる画像データ配列に対してセクション区切りを設定して、特定の画像データに対応したセクションを作成し、セクション毎に画像出力条件の設定をすることで、同じセクション内の画像データに対して同じ画像出力条件で画像出力を行なうことができる。
【０１３７】
次に、比較例として、大量原稿モードでセクション区切りが設定されることなく追加読込みされる原稿の画像出力条件が設定変更された場合の画像出力の一例について説明する。
図１０（ａ）は本実施形態の画像形成装置において大量原稿モードでセクション区切りが設定されない場合における追加読込時に画像出力条件の設定が変更された状態を示す説明図、（ｂ）は通常モードにおける画像出力状態を示す説明図である。
【０１３８】
比較例は、図１０（ａ）に示すように、画像形成装置１００の通常モードにおける追加読込みにおいて、追加読込みを行なうときに画像出力条件の設定変更を行なうものである。
【０１３９】
具体的に説明すると、例えば、画像形成装置１００の通常モードにおける追加読込みにおいて、１回目及び２回目の画像読込時の画像出力条件を「２ｉｎ１・カラー」に設定する。そして、３回目の追加読込み時に画像出力条件を「４ｉｎ１・カラー」に設定変更して、引き続き４回目の追加読込みを行なう。この時の画像出力条件を設定は、３回目の画像読込みの設定と同じ「４ｉｎ１・カラー」である。
【０１４０】
尚、従来は、追加読込みされた一連の追加原稿束の一部について画像出力条件の設定変更はできない。例えば、図１０（ａ）に示すように、４回目の追加読込み時に画像出力条件を「４ｉｎ１・カラー」に設定された原稿束ＰＰ２４の一部を「２ｉｎ１・白黒」に設定変更することはできない。
【０１４１】
従って、追加読込み時に画像出力条件が設定された原稿束（画像データ配列）の画像出力状態は、図１０（ｂ）に示すように、１回目及び２回目に読込まれた原稿束ＰＰ２１，ＰＰ２２は「２ｉｎ１・カラー」の設定で出力され、３回目に読込まれた原稿束ＰＰ２３及３回目以降に読込まれた４回目の原稿束ＰＰ２４は、設定変更後の「４ｉｎ１・カラー」の設定で出力される。符号ＰＰ２１ａは原稿束ＰＰ２１，ＰＰ２２の出力画像、ＰＰ２３ａは原稿束ＰＰ２３，ＰＰ２４の出力画像を示す。
【０１４２】
すなわち、比較例では、画像出力条件の設定変更は、原稿の追加読込みが行なわれるときに可能であり、本実施形態のような複雑な設定変更を行なうことができない。
【０１４３】
次に、本実施形態の画像形成装置１００において、原稿読取部１０２により原稿の追加読取りを行なう場合について、実施例に基づき図面を参照して説明する。
【０１４４】
（実施例１）
実施例１は、画像形成装置１００において、コピーモードで原稿読取りを大量原稿モードに設定して、追加読込のタイミングでセクションを挿入して画像出力条件を設定変更するセクションを作成するものである。
図１１は実施例１の画像形成装置におけるコピーモード初期画面を示す説明図、図１２は前記画像形成装置において原稿読取りが終了した後にセクション区切りを挿入して追加読込みを行なうときの表示画面を示す説明図、図１３は前記画像形成装置において原稿読取り後に追加読取りを行なった場合の追加原稿束を含む複数の原稿束のプレビュー表示された表示画面を示す説明図、図１４は読込まれた原稿束を表すその他のプレビュー表示の例を示す説明図である。
【０１４５】
画像形成装置１００において、大量原稿モードによりコピー原稿を読取る場合は、タッチパネルディスプレイ１３０に表示されたホーム画面においてユーザがコピーモードを選択して、図１１に示すように、コピーモード初期画面８１００を表示する。
【０１４６】
そして、スキャンインキー５１０２をタッチして原稿の読込みを開始する。原稿は、例えば、原稿読取部１０２にＡ４横送りに複数枚セットされている。
【０１４７】
原稿が原稿読取部１０２に読取られると、読取られた複数の原稿の画像データに基づき表示画像生成手段１３７により複数の原稿よりなる原稿束をイメージする表示画像が生成されて、図１２に示すように、プレビュー領域３０００中央部に第１の原稿束ＰＰ１１が表示される。この時、第１の原稿束ＰＰ１１には、読込まれた原稿の先頭ページの画像情報が表示される。スキャンインキー５１０２は、「スキャンイン」から「追加スキャンイン」に表示が変更される。
【０１４８】
この時点で、セクション区切りを設定して、追加読込みを行なう場合は、図１２に示すように、セクション区切り設定手段１３１４として機能するセクション区切りキー５１１０をタッチしてセクション区切りを設定した後に、追加スキャンインキー５１０２をタッチして原稿の追加読込みを開始する。
【０１４９】
次に、追加読込みが実行されると、図１３に示すように、追加読込みされた複数の原稿の画像データに基づき表示画像生成手段１３７により第２の原稿束（追加原稿束）ＰＰ１２が生成されてプレビュー領域３０００に表示される。第２の原稿束ＰＰ１２は、第１の原稿束ＰＰ１１と同じ大きさで、第１の原稿束ＰＰ１１の背後に重ねて配置される。第２の原稿束ＰＰ１２は、その存在が確認できるように一部を第１の原稿束ＰＰ１１の下から露出した状態で配置される。
【０１５０】
実施例１では、原稿が読込まれた原稿束ＰＰ１１，ＰＰ１２をプレビュー領域３０００において重ねてプレビュー表示しているが、その他のプレビュー表示の例として、図１４に示すように、プレビュー領域３０００にプレビュー表示された原稿束ＰＰ１ｎを挟んで、原稿束ＰＰ１ｎの左右側端部付近（最初の原稿束と最後の原稿束の場合は一方の側端付近）にページ捲り用スイッチ１３１２ｃ１，１３１２ｃ２を表示するようにしてもよい。
【０１５１】
このように構成することで、ページ捲り用スイッチ１３１２ｃ１，１３１２ｃ２をタッチすることで、前後して追加読込みされた原稿束を簡単にプレビュー表示することができる。
【０１５２】
また、その他のプレビュー表示の例として、図１５に示すように、セクション区切りを設定することで作成されたセクションＳＴ１１，ＳＴ１２，ＳＴ１３，ＳＴ１４・・・毎に背景の色を異ならせて表示するようにしても良い。
【０１５３】
また、図１６に示すように、表示画像をページ捲り可能な３Ｄ表示によりプレビュー表示して、作成されたセクションＳＴ２１，ＳＴ２２，ＳＴ２３，ＳＴ２４・・・に対応してスクロールバー３１１０の色を異ならせて表示するようにしても良い。
【０１５４】
（実施例２）
実施例２は、画像形成装置１００において、原稿読取り後の画像出力の編集時にセクション区切りを挿入して画像出力条件を設定変更するセクションを作成するものである。
図１７は実施例２の画像形成装置における編集画面を示す説明図、図１８は前記編集画面においてセクション区切りの設定を開始するときの操作状態を示す説明図、図１９は前記編集画面においてセクション区切りを設置する操作の一例を示す説明図、図２０は前記編集画面においてセクション区切りを設置する操作のその他の例を示す説明図である。
【０１５５】
画像形成装置１００において、原稿読取部１０２により読込まれた画像データに基づき出力される画像を編集する場合は、図１７に示すように、タッチパネルディスプレイ１３０に拡大表示されるプレビュー領域３０００に表示される編集画面９１００において、画面をタッチ操作することで、プレビュー表示された複数の表示画像（画像配列）Ｐｎ＋１，Ｐｎ＋２，Ｐｎ＋３，・・・に対してセクション区切りを設定し、作成されたセクションに対してセクション毎に画像出力条件を設定変更して、出力画像の編集を行なう。
【０１５６】
タッチパネルディスプレイ１３０上で出力画像を編集する場合は、図１７に示すように、タッチパネルディスプレイ１３０において拡大表示されたプレビュー領域３０００に編集画面９１００が表示され、画像データに基づく複数の表示画像Ｐｎ＋１，Ｐｎ＋２，Ｐｎ＋３，・・・が複数ページ図中左右方向でスクロール可能に並んでプレビュー表示される。
【０１５７】
プレビュー領域３０００の下側には、セクション区切り設定手段１３１４として機能するセクション挿入指示ボタン９１０１が表示されている。図１８に示すように、セクション挿入指示ボタン９１０１をタッチ操作すると、図１９に示すように、編集画面９１００上にセクション挿入位置を指定する矢印（指示部）９１０２が表示される。
【０１５８】
プレビュー表示された複数の表示画像Ｐｎ＋１，Ｐｎ＋２，Ｐｎ＋３，・・・の画像配列に対してセクション区切りを設定する場合は、矢印９１０２をタッチして挿入する位置まで移動して、挿入位置を決定することで、セクション区切りを設定することができる。
【０１５９】
このようにして、プレビュー表示された複数の表示画像に対してセクション区切りを設定することで、画像出力条件を設定するセクションを作成することができる。そして、作成されたセクション毎に画像出力条件を設定変更することができるので、所望する画像出力を実現することができる。
【０１６０】
その他の例として、図２０に示すように、セクション区切り設定手段１３１４として機能するセクション挿入指示ボタン９１０１をタッチすることで、編集画面９１００上でセクション挿入位置を直接指でタッチして指定することを可能にして、セクション区切りＳＳ１１，ＳＳ１２を設定するようにしてもよい。
【０１６１】
以上のように構成したので、本実施形態によれば、画像形成装置１００において、操作ユニット側制御部１３１の構成として、画像出力手段１０７により出力される画像の画像出力条件を設定する機能を有する機能設定手段１３１２を備え、機能設定手段１３１２の構成として、大量原稿モード１３１３を備えるとともに、セクション区切り設定手段１３１４と、セクション対応画像出力条件保持手段１３１５と、セクション対応画像出力手段１３１６とを備えることで、複数のページからなる原稿をセクション単位で区切り、セクション毎に画像出力条件の設定を保持させ、その設定で処理を実行させることができる。これにより、画像出力において複雑な組合せの処理が可能となるので、ユーザが意図する原稿仕上がりを実現することができる。
【０１６２】
また、本実施形態によれば、機能設定手段１３１２の構成として、設定されたセクション区切りを任意に取消すことができるセクション区切り取消し手段１３１７を備えているので、セクションの範囲を変更したいときや、画像出力条件を一度に変更したいときなどに、簡単に設定変更することが可能になる。例えば、画像出力条件をあらためて設定しなおすときは、すべてのセクション区切りを取消すことで、一括して全ての画像データに対して新たに設定することができる。
【０１６３】
また、本実施形態によれば、機能設定手段１３１２の構成として、画像出力後のステープル／パンチ、ページ振り等の仕上げ処理を設定する仕上げ処理設定手段１３１８を備えているので、仕上げ処理の設定を行なうときは、複数のセクションを同一の設定とすることができるので、簡単に仕上げ処理を行なうことができる。
【０１６４】
尚、上述した実施形態や実施例では、本発明に係る操作ユニット１２０を図１に示すような画像形成装置１００に適用した例について説明したが、画像データを追加読込み（追加入力）が可能で、印刷する前に表示パネル等に原稿画像をプレビュー表示が可能な操作ユニットを備える画像形成装置であれば、上述したような構成の画像形成装置や複写機に限定されるものではなく、その他の画像形成装置等に展開が可能である。
【０１６５】
また、上述した実施形態や実施例では、原稿束は複数の原稿より構成されるものとして説明したが、本発明はこの構成に限定されるものではなく、原稿束が１枚の原稿より構成される場合も含まれる。
【０１６６】
以上のように、本発明は、上述した実施形態や実施例に限定されるものではなく、請求項に示した範囲で種々の変更が可能である。当業者であれば、特許請求の範囲に記載された範疇内において、各種の変更例または修正例に想到し得ることは明らかであり、すなわち、本発明の要旨を逸脱しない範囲内において適宜変更した技術的手段を組み合わせて得られる実施形態についても本発明の技術的範囲に含まれる。
【符号の説明】
【０１６７】
１００  画像形成装置
１０１  主制御部
１０２  原稿読取部（入力手段）
１０３  画像処理手段
１０４  画像形成部
１０５  蓄積手段
１０７  画像出力手段
１１１  パンチングユニット
１１２  ステープルユニット
１２０  操作ユニット（画像表示操作装置）
１３０  タッチパネルディスプレイ（表示手段）
１３１  操作ユニット側制御部（表示制御手段）
１３２  表示パネル（表示手段）
１３４  タッチパネル
１３５  操作位置検出手段
１３６  画面表示手段
１３７  表示画像生成手段
１０００  システム領域
１３１１  原稿束表示手段
１３１２  機能設定手段
１３１２ｃ１，１３１２ｃ２  ページ捲り用スイッチ
１３１３  大量原稿モード
１３１４  セクション区切り設定手段
１３１５  セクション対応画像出力条件保持手段
１３１６  セクション対応画像出力手段
１３１７  セクション区切り取消し手段
１３１８  仕上げ処理設定手段
２０００  機能選択領域
３０００  プレビュー領域
３１１０  スクロールバー
４０００  アクションパネル領域
５０００  タスクトリガー領域
５１０２  スキャンインキー（追加スキャンインキー）
５１０４  クリアオールキー
５１０６  モノクロスタートキー
５１０８  カラースタートキー
５１１０  セクション区切りキー
８１００  コピーモード初期画面
９１００  編集画面
９１０１  セクション挿入指示ボタン
９１０２  矢印
ＰＰ１１，ＰＰ１２，ＰＰ１３，ＰＰ１４，ＰＰ１４ａ，ＰＰ１４ｂ，
ＰＰ１ｎ，ＰＰ２１，ＰＰ２２，ＰＰ２３，ＰＰ２４  原稿束
ＰＰ１１ａ，ＰＰ１４ａａ，ＰＰ１４ｂａ，ＰＰ２１ａ，ＰＰ２３ａ  出力画像
Ｐｎ  表示画像
ＳＳ１，ＳＳ２，ＳＳ３，ＳＳ１１，ＳＳ１２  セクション区切り
ＳＴ１，ＳＴ２，ＳＴ３，ＳＴ３ａ，ＳＴ３ｂ，
ＳＴ１１，ＳＴ１２，ＳＴ１３，ＳＴ１４，
ＳＴ２１，ＳＴ２２，ＳＴ２３，ＳＴ２４  セクション
【図１】
0005242650.tif 000002
【図２】
0005242650.tif 000003
【図３】
0005242650.tif 000004
【図４】
0005242650.tif 000005
【図５】
0005242650.tif 000006
【図６】
0005242650.tif 000007
【図７】
0005242650.tif 000008
【図８】
0005242650.tif 000009
【図９】
0005242650.tif 000010
【図１０】
0005242650.tif 000011
【図１１】
0005242650.tif 000012
【図１２】
0005242650.tif 000013
【図１３】
0005242650.tif 000014
【図１４】
0005242650.tif 000015
【図１５】
0005242650.tif 000016
【図１６】
0005242650.tif 000017
【図１７】
0005242650.tif 000018
【図１８】
0005242650.tif 000019
【図１９】
0005242650.tif 000020
【図２０】
0005242650.tif 000021